(57)【要約】  建物分野におけるレール案内式のセルフクライミング型枠システム１０では、クライミングレール１８がクライミングシュー２４，２６，３４，３６内において案内され、クライミングレールは足場ユニットに一体化される。足場ユニットはまた、やはりクライミングレール１８に取り付けられる作業プラットフォーム１２及び仕上げプラットフォーム１６を含む。クライミングレール延長部品２０，２２は、クライミングレール１８の自由端部に取り付けられ、この自由端部に堅固に取り付けられ得る。クライミングレール延長部品２０，２２は、クライミングレール１８よりも長さが短い。【選択図】図１
2011515602.tif 000002
【特許請求の範囲】
【請求項１】
建物分野におけるレール案内式のセルフクライミング型枠システム（１０）を備えたコンクリート部分（４０，４２，４４）であって、足場ユニットに一体化され、クライミングシュー（２４，２６，３４，３６）内において案内されるクライミングレール（１８）を備え、前記クライミングシュー（２４，２６，３４，３６）が、硬化されたコンクリート部分（４０，４２，４４）に取り付けられ、前記クライミングレール（１８）が、クライミングシュー（２４，２６，３４，３６）内において、可動であり、案内され、保持されており、クライミングレール（１８）の自由端部に、前記クライミングレール（１８）よりも長さの短いクライミングレール延長部品（２０，２０’，２２）が取り付け可能であるコンクリート部分において、前記クライミングレール（１８）が、本質的に前記コンクリート部分（４０，４２，４４）の高さに対応する長さであることを特徴とする、レール案内式のセルフクライミング型枠システムを備えたコンクリート部分（４０，４２，４４）。
【請求項２】
前記クライミングレール（１８）の少なくとも下側の自由端部に、前記クライミングレール（１８）よりも長さの短いクライミングレール延長部品（２０’，２２）が、切り離し可能に且つ／又は枢動式に取り付けられることを特徴とする請求項１に記載のレール案内式のセルフクライミング型枠システム（１０）を備えたコンクリート部分（４０，４２，４４）。
【請求項３】
前記クライミングレール延長部品（２０，２０’，２２）が、構築されるコンクリート部分（４０，４２，４４）の高さよりも短いことを特徴とする請求項１又は２に記載のレール案内式のセルフクライミング型枠システムを備えたコンクリート部分（４０，４２，４４）。
【請求項４】
前記クライミングレール延長部品（２０，２０’，２２）の長さが、それに直接重ねて配置される２つのクライミングシュー（２４，２６，３４，３６）の間の距離の半分以上であることを特徴とする請求項１乃至３のいずれか１項に記載のレール案内式のセルフクライミング型枠システムを備えたコンクリート部分（４０，４２，４４）。
【請求項５】
前記クライミングレール延長部品（２０，２０’，２２）は、ロッキングピン（５０）によって前記クライミングレール（１８）の自由端部に連結されることを特徴とする請求項１乃至４のいずれか１項に記載のレール案内式のセルフクライミング型枠システムを備えたコンクリート部分（４０，４２，４４）。
【請求項６】
前記クライミングレール延長部品（２０，２０’，２２）の各々は、２つのロッキングピン（５０）によってクライミングレール（１８）の自由端部と連結され得ることを特徴とする請求項５に記載のレール案内式のセルフクライミング型枠システムを備えたコンクリート部分（４０，４２，４４）。
【請求項７】
前記クライミングレール（１８）並びに前記クライミングレール延長部品（２０，２０’，２２）が、支持ピン（３２）、及び、場合によってはスペーサ、連結ピン（５２）によって互いにある距離をおいてつなぎ合わされる２つのプロファイルレールから組み立てられることを特徴とする請求項１乃至６のいずれか１項に記載のレール案内式のセルフクライミング型枠システムを備えたコンクリート部分（４０，４２，４４）。
【請求項８】
前記足場ユニットは、作業プラットフォーム（１２）及び仕上げプラットフォーム（１６）を有することを特徴とする請求項１乃至７のいずれか１項に記載のレール案内式のセルフクライミング型枠システムを備えたコンクリート部分（４０，４２，４４）。
【請求項９】
前記作業プラットフォーム（１２）に、前記作業プラットフォーム（１２）上で可動である外部及び内部の型枠（１３，１３’）が設けられることを特徴とする請求項８に記載のレール案内式のセルフクライミング型枠システムを備えたコンクリート部分（４０，４２，４４）。
【請求項１０】
前記クライミングシュー（２４，２６，３４，３６）上にクライミングシリンダ（２８）が、取り付けられ得ることを特徴とする請求項１乃至９のいずれか１項に記載のレール案内式のセルフクライミング型枠システムを備えたコンクリート部分（４０，４２，４４）。
【請求項１１】
前記クライミングレール（１８）の下側の端部と関節式に連結された前記クライミングレール延長部品（２２）の下側の自由端部に、仕上げプラットフォーム（１６）の構成要素が設けられることを特徴とする請求項１乃至１０のいずれか１項に記載のレール案内式のセルフクライミング型枠システムを備えたコンクリート部分（４０，４２，４４）。
【発明の詳細な説明】
【技術分野】
【０００１】
本発明は、足場ユニットに一体化されたクライミングシュー（ｃｌｉｍｂｉｎｇ  ｓｈｏｅ）内において案内されるクライミングレール（ｃｌｉｍｂｉｎｇ  ｒａｉｌ）を備えた、建築分野におけるレール案内式のセルフクライミング（ｓｅｌｆ−ｃｌｉｍｂｉｎｇ）型枠システムに関し、クライミングシューは、１つの硬化されたコンクリート部分及び複数のコンクリート部分にそれぞれ取り付け可能であり、クライミングレールは、クライミングシュー内において、可動であり、案内され、保持される。
【背景技術】
【０００２】
このようなセルフクライミング型枠システムは、国際特許出願ＷＯ２００７／０００１３９Ａ１、ＷＯ２００７／００１３６Ａ１、ＷＯ２００７／０００１３４Ａ１及びＷＯ２００７／０００１３７Ａ１によって知られている。
【０００３】
既知のレール案内式のセルフクライミング型枠システムにおいては、既知のセルフクライミング型枠が使用できるようになるまでに、少なくとも２つの床又はコンクリート部分が、既知の型枠システムを用いて構築されなければならない。これが必要であるのは、使用されるクライミングレールが、様々なコンクリート部分に取り付けられたクライミングシュー内において案内、保持、移動されるからである。
【０００４】
クライミングシューをあるコンクリート部分から別のコンクリート部分に移動するためには、クライミング手順のために必要な個々の作業工程がクレーンを使用することなく行われ得るように、大面積の足場ユニットがさらに必要となる。
【発明の概要】
【発明が解決しようとする課題】
【０００５】
たとえば、ＷＯ２００７／０００１３９Ａから知られているように、クライミングレールの長さのために、クライミングレールの下側の自由端部が、第１のコンクリート部分が上に建てられる地面、又は、第１のコンクリート部分の下に造られ得る床天井と衝突しないように、セルフクライミング型枠システムを使用する際には、十分な構造上の高さに達さなければならない。通常、セルフクライミング型枠システムを使用できるようにするためには、２つの床が最初に完成されなければならない。したがって、クライミングレールの長さは、造られる床及びコンクリート部分それぞれの高さ、並びに、より高いコンクリート部分の場合には仕上げプラットフォームの存在の必要性によって決定される。したがって、クライミングレールの長さは、構築されるコンクリート部分の高さよりもかなり大きい。
【０００６】
本発明の目的は、幅広い領域の用途において使用できるように、既知のレール案内式のセルフクライミング型枠システムを簡略化することにある。
【課題を解決するための手段】
【０００７】
この目的は、特許請求の範囲の主題によって達成される。従属請求項は、本発明の主題の好ましい実施形態を示す。
【０００８】
クライミングレールよりも長さの短いクライミングシュー延長部品が、クライミングレールの自由端部に取り付けられ得る。
【０００９】
このタイプのクライミングレールの実施の形態では、安全上の危険性を招くことなく、より短いクライミングレールを用いてクライミング手順を行うことが可能である。安全なセルフクライミング手順のためには、互いからある距離をおいて配置された、少なくとも２つの平行なクライミングレールが、それに重ねて配置される少なくとも２つのクライミングシュー内においてそれぞれ常に保持されなければならず、クライミングレールは、クライミング手順それ自体の際に、このレールに取り付けられたクライミングレール延長部品によって、さらなる第３のクライミングシューの対の中へとさらに動かされ、たとえば、この対を第３のクライミングシューよりも上方の第４のクライミングシューとして再び使用するために、互いの上に配置された３対のクライミングシューの最初の対が取り除かれるまで、そこに保持されなければならない。このクライミング手順では、問題のクライミングレールは、コンクリートで固められる床の高さよりかなり大きい最小の長さを有さなければならない。クライミングレール延長部品を使用することにより、その全長が、構築されるコンクリート部分を越えて突出しないように、クライミングレール自体が短縮可能であり、すなわち、クライミングレールは、本質的に、クライミングレールがクライミングシューによって取り付けられる硬化されたコンクリート部分の高さに対応する長さとなる。
【００１０】
これは、本発明による短縮されたクライミングレール及びクライミングレールの対が、それぞれ、第１の床又は第１のコンクリート部分の完成の後にすでに使用可能となることを意味する。第２のコンクリート部分の完成の後のさらなるクライミング手順では、少なくとも２つのクライミングレール延長部品が、クライミングレールの自由な上端部に堅固に連結され、それによって、クライミング手順の際に、最も新しく構築され、硬化されたコンクリート部分に取り付けられたクライミングシューの中にクライミングレールが導入可能となる。同時に、十分な安全がもたらされながらクライミング手順が行われ得るように、クライミングレール（複数可）が、下に配置された２つのクライミングシューの中で依然として保持される。
【００１１】
新しいコンクリート固めの手順のためには、次に、クライミングレールが、それに重ねて取り付けられる２対のクライミングシュー内において案内された状態に保持されている場合、クライミングレール延長部品が、再びクライミングレールの上端部から除去される。これらの方策によって、コンクリート固めの手順の際に、そのクライミングレールがコンクリート部分又は完成した床を越える状態で突出しないレール案内式のセルフクライミング型枠システムが使用可能となる。クライミングレールは、本質的に、コンクリート固めされる部分の高さに対応する長さのものであり、構築されるコンクリート部分の高さよりもそれぞれ短い。
【００１２】
有利には、クライミングレールの少なくとも下側の自由端部には、クライミングレールよりも長さの短いクライミングレール延長部品が切り離し可能に及び／又は枢動式に取り付け可能である。
【００１３】
本発明のセルフクライミング型枠システムは、第１コンクリート部分の完成の後、すでに使用可能となる。このために、クライミングレール延長部品が、まず、クライミングレールの下側の自由端部から切り離されるか、又は枢動式にクライミングレールの下側の自由端部に取り付けられる。クライミングレールは、本質的に、コンクリート部分の高さに対応する長さのものとなるように短くなるべく選択されている。こうして、クライミングレールの下側の自由端部は、第１コンクリート部分が上に構築される地面、又は、第１コンクリート部分の下に構築され得る床天井とはもはや衝突しない。十分な床の高さに到達した後、たとえば、仕上げプラットフォームがこの上に設けられ得るように、クライミングレール延長部品が、着脱可能に且つ／又は枢動可能にクライミングレールの下側の自由端部に取り付けられる。
【００１４】
本発明のさらなる実施の形態では、クライミングレール延長部品は、構築されるコンクリート部分の高さよりも短い。このようにして、一方で、所望される扱いやすさが達成され、他方で、クライミングレール延長部品の長さによって、それぞれのクライミングの手順において、このように延在されたクライミングレールが、確実に、次のクライミングシューに安全に到達し、そこで保持可能となる。これに関連して、クライミングレール延長部品の長さは、好ましくは、それに直接重ねて配置される２つのクライミングシューの間の距離の半分以上である。
【００１５】
クライミングレール延長部品がロックピンによってクライミングレールの自由端部に連結される場合、単純な構造的手段によって、クライミングレールの自由端部とクライミングレール延長部品の間の堅固な連結がもたらされ得る。同時に、それぞれのクライミング手順が完了した後に、クライミングレール延長部品は、再びクライミングレールから取り外されなければならないので、このタイプの連結は迅速且つ簡単に再び切り離すことが可能であり、これによって、外部型枠及び／又は内部型枠を、新しいコンクリート部分が構築される位置に持っていくことができる。
【００１６】
それぞれのクライミングレール延長部品が、クライミングレールの自由端部に、２つのロッキングピンによって連結可能であると有利である。一方で、この方策では、１つのみのロッキングピンが使用される場合、関節式の連結部がもたらされ、互いにある距離をおいた２つのロッキングピンが、クライミングレールをクライミングレール延長部品に連結するために使用される場合、剛性の連結部が、クライミングレールとクライミングレール延長部品との間に達成される。
【００１７】
クライミングレール並びにクライミングレール延長部品が、支持ピン、及び、場合によってはスペーサ、連結ピンによって、互いにある距離をおいてつなぎ合わされる２つのプロファイルレール（ｐｒｏｆｉｌｅ  ｒａｉｌ）から組み立てられる場合、本発明によるレール案内式のセルフクライミング型枠システムの簡略化された構造が確実となる。これは、クライミングレール延長部品が、このように設計されたクライミングレールに簡単に連結可能であり、同時に、クライミングレールにおいて考えられる構成が、一連の支持ピンによってクライミングレール延長部品に中断なく連続可能である利点がある。
【００１８】
レール案内式のセルフクライミング型枠システムは、作業プラットフォーム及び仕上げプラットフォームが上に形成される足場ユニットを有する。クライミングレールは、足場ユニットに一体化される。本発明による短縮されたクライミングレールに関しては、足場ユニットは、１つの作業プラットフォーム及び１つの仕上げプラットフォームを有するのみで十分である。本発明によるセルフクライミング型枠システムの実施形態においては、従来技術の場合のような中間プラットフォームは、なしで済ませることができる。これによって、レール案内式のシステム全体がかなり単純化される。
【００１９】
有利には、可動式の外部又は内部の型枠が、作業プラットフォーム上に考えられる。一方で、クライミングシューが、作業プラットフォーム上で硬化したコンクリート部分に最も容易に取り付け可能であるように、又はこのコンクリート部分から最も容易に取り外し可能であるように、また、他方で、さらなるコンクリート部分が構築可能である作業プラットフォーム上の位置に、外部又は内部の型枠が動かされ得るように、必要に応じて、上述の外部又は内部の型枠が、作業プラットフォーム上で移動され得る。
【００２０】
クライミングシリンダの助けで、必要に応じて、足場ユニット全体が、完成されたコンクリート部分上において上方に押され得るように、又は、下方にも押され得るように、クライミングシリンダが、クライミングシューの上に取り付け可能である。クライミング手順が完了した後、クライミングシリンダは、クライミングシューから取り外され、より高い又は低い位置においてクライミングシューに再び取り付け可能である。取り付けられたクライミングシリンダは、クライミングシリンダの自由端部に形成された留め具によって、それぞれ、クライミングレール及びクライミングレール延長部品の支持ピンにそれぞれ係合する。クライミングシリンダが外側に動かされると、クライミングレール延長部品を有するクライミングレールが、足場ユニット全体と共に移動される。
【００２１】
本発明によれば、本発明の好ましい実施の形態では、他方の反対側の端部がクライミングレールの下側の自由端部と関節式に連結されるクライミングレール延長部品の下側の自由端部に、仕上げプラットフォームの構成要素が設けられる。これは、仕上げプラットフォームが、第１のコンクリート部分上においても足場ユニットの上へ取り付け可能であるという利点を有する。クライミング手順が第１のコンクリート部分の上で開始される場合、第１コンクリート部分が建てられたベース部の上に、仕上げプラットフォームが依然として懸架されており、クライミング手順が進行するにつれて、クライミングレール延長部品とそれに取り付けられた仕上げプラットフォームの構成要素が完成された第１コンクリート部分に向かって枢動し、仕上げプラットフォームがそれ自体で位置調整を行う。
【００２２】
さらなる利点は、添付の図面の説明から推測できよう。同時に、本発明に従って、上述の特徴及びさらに示される特徴は、個々に、又は互いに任意の組み合わせで使用可能である。前述の実施形態は、網羅的な列挙とみなすべきではなく、例とみなすべきである。本発明は、図面に示され、図面の実施形態の例に基づいてさらに詳細に説明される。
【図面の簡単な説明】
【００２３】
【図１】レール案内式のセルフクライミング型枠システムの助けで、コンクリート部分と並行して移動できる作業プラットフォーム上に外部型枠を支持するレール案内式のセルフクライミング型枠システムの側面図である。
【図２】図１の構成要素の拡大側面図である。
【図３】クライミングレール及びクライミングレール延長部品の三次元図及びその組み立ての方式を示す図である。
【図４】クライミングレール延長部品の三次元図である。
【図５】本発明によるクライミングレール延長部品の正面図である。
【図６】作業プラットフォーム上に内部型枠を支持する本発明に係るレール案内式のセルフクライミング型枠システムによる連のクライミング手順ａ）からｅ）のクライミング順序に分割して示す図である。
【図７】作業プラットフォームが外部型枠を支持し、足場ユニットが仕上げプラットフォームも有する本発明に係るレール案内式のセルフクライミング型枠システムによる一連のクライミング手順をａ）からｄ）のクライミング順序で示す図である。
【発明を実施するための形態】
【００２４】
図においては、レール案内式のセルフクライミング型枠システムは、非常に概略的に示され、個々の特徴の群は、縮尺通りであるものと解釈すべきでない。
【００２５】
図１において、１０はレール案内式のセルフクライミング型枠システムを示し、このシステムは、外部型枠１３が上に建てられる作業プラットフォーム１２を足場ユニット上に有する。外部型枠１３は、矢印１４の方向に作業プラットフォーム１２上を移動可能である。仕上げプラットフォーム１６が、また、足場ユニットに一体化されており、作業プラットフォーム１２と同様に、クライミングレール１８に取り付けられる。レール案内式のセルフクライミング型枠システム１０の側面図のみが図に示されており、図は、図示のクライミングレール１８に平行に、クライミングレール１８からある距離をおいて走行するさらなるクライミングレール１８を隠している。このようにして、足場ユニットは、両クライミングレール１８によってつなぎ合わされている（従来技術）。
【００２６】
クライミングレール１８の上側の自由端部に取り付けられるのは、第１クライミングレール延長部品２０であり、クライミングレール１８の下側の自由端部に、第２クライミングレール延長部品２２が取り付けられる。クライミングレール１８は、クライミングシュー２４，２６内において案内され、可動式に保持される。クライミングシュー２６に取り付けられているのは、第１クライミングレール延長部品２０の支持ピン３２の下に係合する留め具３０を自由端部に有するクライミングシリンダ２８である。支持ピン３２は、第１クライミングレール延長部品２０に沿って、且つ第２クライミングレール延長部品２２に沿って、且つクライミングレール１８に沿って、所定の間隔で配置される。クライミングシュー２４，２６はまた、支持ピン３２の下に係合する従来の既知の留め具を有し、クライミングレール１８及びクライミングレール延長部品２０をそれぞれ所定の位置に保持することができる。クライミングレール１８又はクライミングレール延長部品２０の対応する支持ピン３２が懸架される留め具によって、レール案内式のセルフクライミング型枠システム全体がクライミングシュー２４，２６内に保持される。
【００２７】
クライミングシュー３４，３６は、固定点３８によってコンクリート部分に取り付けられる。図には、第１コンクリート部分４０、第２コンクリート部分４２、及び第３コンクリート部分４４が示される。これらのコンクリート部分４０，４２，４４は硬化されており、レール案内式のセルフクライミング型枠システム１０の荷重を支持することができる。コンクリート部分４０，４２，４４には、レール案内式のセルフクライミング型枠システム１０のためのクライミングシューがこれによって取り付けられ得る固定点３８が設けられる。図には、それぞれのコンクリート部分を片側において区切る天井部分４５，４６，４７も示されている。それぞれのコンクリート部分４０，４２，４４を作るために、図に示される外部型枠１３に対応する内部型枠が建てられることが理解されよう。天井部分４５，４６，４７は、図に示されない既知の天井型枠システムによって作られる。
【００２８】
図２は、図１の第２コンクリート部分４２及び第３コンクリート部分４４の詳細の拡大側面図を示す。天井部分４６が示されている。クライミングシュー２６及び３４が、第２及び第３のコンクリート部分４２，４４の固定点３８に取り付けられる。クライミングシュー２６に既知の方式で取り付けられているのは、留め具３０によって第１クライミングレール延長部分２０の支持ピン３２の下に係合するクライミングシリンダ２８である。第１クライミングレール延長部品２０に沿って且つクライミングレール１８に沿って、支持ピン３２が設けられ、これは全て、クライミングシュー２６及び３８の留め具によって下から配置され得る。
【００２９】
連結部品４８によって、第１クライミングレール延長部品２０が、クライミングレール１８の自由端部の中へ押し込まれ、ロッキングピン５０によって、第１クライミングレール延長部品２０はクライミングレール１８に堅固に連結される。
【００３０】
クライミングレール１８はまた、外部型枠１３が可動式に上に取り付けられる作業プラットフォーム１２を担持する。
【００３１】
図３は、レール案内式のセルフクライミング型枠システム１０に使用されるクライミングレール１８及び第１クライミングレール延長部品２０の三次元図を示す。クライミングレール１８は、２つのＵ形の外形部からなる。支持ピン３２がＵ形の外形部を片側でつなぎ合わせる。支持ピン３２の長さは、また、２つのＵ形の外形部の間の距離を決定する。支持ピン３２は、クライミングレール１８の全長にわたって所定の間隔でＵ形の外形部に連結される。
【００３２】
連結部品４８によって、第１クライミングレール延長部品２０が、クライミングレール１８の自由端部の中へ押し込まれ、そこでロッキングピン５０を用いてクライミングレール１８に堅固に連結され得る。ロッキングピン５０は、ばねピン５１によって固定され得る。支持ピン３２の反対側では、連結ピン５２がＵ形の外形部を互いに連結する。連結ピン５２は、支持ピン３２に対応し、支持ピン３２によって形成されるのと同じＵ形の外形部の互いの間隔を確保することができる。
【００３３】
図４は、第１クライミングレール延長部品２０のさらなる三次元図を示す。第１クライミングレール延長部品２０は、連結部品４８によってクライミングレールに連結され、ロッキングピン５０によって、クライミングレールに堅固に連結される。ロッキングピン５０は、ばねピン５１を用いて固定される。図に示される支持ピン３２は、クライミングシュー及びクライミングシリンダの留め具によってそれぞれ下から係合され得る。
【００３４】
図５は、第１クライミングレール延長部品２０の正面図を示す。支持ボルト３２が見えており、ロッキングボルト５０が連結部品４８上に挿入され、ばねピン５１を用いて固定される。
【００３５】
図６は、レール案内式のセルフクライミング型枠システムを用いたクライミング手順の順序の非常に概略的な図を示す。図の部分ａ）において、２つのコンクリート部分４０及び４２が示される。第１コンクリート部分４０は、既知の壁型枠を用いて作られており、第１コンクリート部分４０が硬化した後、クライミングシュー２４及び２６が、第１コンクリート部分４０の上に取り付けられる。次に、クライミングレール１８が、クライミングシュー２４及び２６に挿入される。この工程において、クライミングシュー２４、２６は、クライミングレール１８及びそれに連結される足場ユニットを保持し、足場ユニットは、作業プラットフォーム１２の上に、可動式に内部型枠１３’を保持する。この内部型枠１３’を用いて、コンクリート部分４２がコンクリートで固められ、コンクリート部分４２の硬化の後に、内部型枠１３’が図示の位置に移動され、クライミングシュー３４、３６が取り付けられる。第１クライミングレール延長部品２０が、また、クライミングレール１８上に取り付けられ、クライミングレール１８に堅固に連結されている。クライミングシリンダ２８が、クライミングシュー２６上に取り付けられており、このシリンダ２８が、内側に動いた状態で、その留め具を用いて第１クライミングレール延長部品２０の支持ピンと係合する。
【００３６】
ここで、レール案内式のセルフクライミング型枠システムにおいてクライミング手順が始まり（図の部分ｂ）、クライミングシリンダ２８が外側に動かされると、いくつかのシリンダ行程の後、クライミングシュー３４の留め具が、第１クライミングレール延長部品２０の支持ピンを支持且つ係合できるまで、第１クライミングレール延長部品２０の自由端部がクライミングシュー３４の中へと動く。代替として、クライミングシュー２４、２６は、クライミングシリンダ２８が新しいクライミングシューに対して内側に動かされている間、クライミング手順の際に足場ユニット全体を支持することができる。概ね、セルフクライミング型枠システム全体の重量は、クライミングシューの対２４又は２６又は３４の留め具のみによって安全に支持可能である。クライミングレール１８の安全な案内が、互いの垂直上方に配置された２つのクライミングシューの対によって常に起こる。次に、クライミングシリンダ２８が内側に動かされ、クライミングシリンダ２８の留め具が、第１クライミングレール延長部品２０又はクライミングレール１８の支持ピンを再び係合することができるように、新しい位置に再びされ得る。次に、クライミングシリンダ２８が再び外側に動かされると、レール案内式のセルフクライミング型枠システム全体がさらに上方へと登る。さらなるクライミングレール延長部品２０’がクライミングレール１８の下側の自由端部に取り付け可能になるまで、クライミングレール１８が上に登るとすぐに、たとえば、固定ピンによってクライミングレール１８に取り付けられることによって、クライミングレール延長部品２０’がクライミングレール１８に堅固に連結される。
【００３７】
図の部分ｃ）のクライミング位置においては、レール案内式のセルフクライミング型枠システムが、クライミングレール１８によってクライミングシュー２６及び３４内に保持され、クライミングレール延長部品２０，２０’の端部は、依然としてクライミングシュー２４及び３６の中にある。
【００３８】
図中ｄ）では、クライミング手順は進んでおり、レール案内式のセルフクライミング型枠システムは、第３コンクリート部分が構築される位置にある。クライミングシュー３４、３６の留め具が、クライミングレール１８の支持ピンの下に係合すると、クライミングレール１８は、クライミングシュー３４及び３６によって保持される。第１クライミングレール延長部品２０は、ここで、クライミングレール１８から取り外し可能になり、クライミングレール延長部品２０’も、レール案内式のセルフクライミング型枠システムの案内又は固定にもはや必要なくなる。クライミングシリンダ２８も、クライミングシュー２６から取り外し可能になる。クライミングシュー２６も、第１コンクリート部分４０から外される。
【００３９】
部分ｅ）では、第３コンクリート部分が第２コンクリート部分４２の上方に構築可能であるように、内部型枠１３’が、コンクリート部分４２まで動かされたのが示される。同時に、これに使用される天井型枠５３及び天井支え５４によって、天井部分４５をコンクリートで固めることが可能となる。図６に示されるクライミング手順には、レール案内式のセルフクライミング型枠システムが、また、外部型枠のために同時に使用されることが理解されよう。これは、明快にするために示されない。
【００４０】
図７は、作業プラットフォーム１２及び外部型枠によって行われる４つの手順ａ）からｄ）でのクライミング手順の側面図を示す。図７に示されるレール案内式のセルフクライミング型枠システムは、図６に示すように、コンクリート部分を構築する外部型枠として使用され得る。
【００４１】
図中ａ）において第１コンクリート部分４０が既知の壁型枠要素を用いてコンクリートで固められた後、レール案内式のセルフクライミング型枠システムが、クライミングシュー２４及び２６によって、硬化された第１コンクリート部分４０に固定される。第２コンクリート部分４２が、また、外部型枠１３を用いて作られている。図７の図ａ）において、外部型枠１３は、硬化された第２コンクリート部分４２からすでに外されており、クライミングシュー３４及び３６が、硬化された第２コンクリート部分にすでに取り付けられている。第１クライミングレール延長部品２０が、クライミングレール１８の上側の自由端部に堅固に連結されており、クライミングレール１８の下側の自由端部に、第２クライミングレール延長部品２２が、クライミングレール１８の上に関節式に依然として保持されている。第２クライミングレール延長部品２２は、仕上げプラットフォームの構成要素を担持する。ここでクライミングシリンダ２８がクライミングシュー２６に取り付けられ、クライミング手順がクライミングシリンダ２８によって開始されると、レール案内式のセルフクライミング型枠システム全体がコンクリート部分４０、４２に沿って上方に動き、仕上げプラットフォームが、重力によって自動的に据えられる。作業プラットフォーム１２及び仕上げプラットフォーム１６によって、レール案内式のセルフクライミング型枠システムの領域における全ての作業が行われ得る。図ｃ）及びｄ）において、レール案内式のセルフクライミング型枠システムは、外部型枠１３を、第３コンクリート部分の位置に持っていくことができるまで、さらに上方へ動かされる。作業プラットフォーム１２によって、第１クライミングレール延長部品２０が取り外し可能になり、クライミングシュー２４及びクライミングシュー２６は切り離し可能なシューであるので、それぞれ、仕上げプラットフォーム１６によって、その限りにおいて必要に応じて取り外し可能である。
【００４２】
建物分野のレール案内式のセルフクライミング型枠システム１０において、クライミングレール１８は、クライミングシュー２４，２６，３４，３６内において案内され、クライミングレールは足場ユニットに一体化される。足場ユニットは、また、クライミングレール１８にやはり取り付けられる作業プラットフォーム１２及び仕上げプラットフォーム１６を備える。クライミングレール延長部品２０、２２は、クライミングレール１８の自由端部に装着され、そこに堅固に取り付け可能である。クライミングレール延長部品２０，２２は、クライミングレール１８よりも長さが短い。
【図１】
2011515602.tif 000003
【図２】
2011515602.tif 000004
【図３】
2011515602.tif 000005
【図４】
2011515602.tif 000006
【図５】
2011515602.tif 000007
【図６】
2011515602.tif 000008
【図７】
2011515602.tif 000009
【手続補正書】
【提出日】平成21年10月21日(2009.10.21)
【手続補正１】
【補正対象書類名】明細書
【補正対象項目名】０００５
【補正方法】変更
【補正の内容】
【０００５】
たとえば、ＷＯ２００７／０００１３９Ａから知られているように、クライミングレールの長さのために、クライミングレールの下側の自由端部が、第１のコンクリート部分が上に建てられる地面、又は、第１のコンクリート部分の下に造られ得る床天井と衝突しないように、セルフクライミング型枠システムを使用する際には、十分な構造上の高さに達さなければならない。通常、セルフクライミング型枠システムを使用できるようにするためには、２つの床が最初に完成されなければならない。したがって、クライミングレールの長さは、造られる床及びコンクリート部分それぞれの高さ、並びに、より高いコンクリート部分の場合には仕上げプラットフォームの存在の必要性によって決定される。したがって、クライミングレールの長さは、構築されるコンクリート部分の高さよりもかなり大きい。
ＦＲ２４８７４１０は、クライミングシューに案内されたクライミングレールが足場ユニットの中に一体化された、コンクリート部分に取り付けられたレール案内式のセルフクライミング型枠システムを記載している。各ケースにおいて、１つのクライミングレールは、クライミングシューの２つ内で案内される。クライミングレールの長さは、コンクリート部分の高さに実質的に対応している。クライミング型枠システムのクライミング手順は、より高く位置するクライミングシューに載置されたクライミングシリンダに基づいて実行される。クライミング手順は、他のコンクリート部分全部が固化した後で実行される。
【手続補正２】
【補正対象書類名】明細書
【補正対象項目名】００１２
【補正方法】変更
【補正の内容】
【００１２】
クライミングレールの少なくとも下側の自由端部には、クライミングレールよりも長さの短いクライミングレール延長部品が切り離し可能に及び／又は枢動式に取り付け可能である。
【手続補正３】
【補正対象書類名】特許請求の範囲
【補正対象項目名】全文
【補正方法】変更
【補正の内容】
【特許請求の範囲】
【請求項１】
建物分野におけるレール案内式のセルフクライミング型枠システム（１０）を備えたコンクリート部分（４０，４２，４４）であって、足場ユニットに一体化されたクライミングシュー（２４，２６，３４，３６）と、前記クライミングシュー（２４，２６，３４，３６）内において案内されるクライミングレール（１８）とを備え、前記クライミングシュー（２４，２６，３４，３６）が、硬化されたコンクリート部分（４０，４２，４４）に取り付けられ、前記クライミングレール（１８）の１つが、複数のクライミングシュー（２４，２６，３４，３６）内においてそれぞれ可動であり、案内され、保持されており、クライミングレール（１８）の自由端部に、前記クライミングレール（１８）よりも長さの短いクライミングレール延長部品（２０，２０’，２２）が取り付け可能であり、前記クライミングレール（１８）が、本質的に前記コンクリート部分（４０，４２，４４）の高さに対応する長さであるコンクリート部分において、
前記クライミングレール（１８）の少なくとも下側の自由端部に、前記クライミングレール（１８）より長さの短いクライミングレール延長部品（２０’，２２）が切り離し可能に且つ／又は枢動式に取り付けられることを特徴とする、レール案内式のセルフクライミング型枠システムを備えたコンクリート部分（４０，４２，４４）。
【請求項２】
前記クライミングレール延長部品（２０，２０’，２２）の長さが、それに直接重ねて配置される２つのクライミングシュー（２４，２６，３４，３６）の間の距離の半分以上であることを特徴とする請求項１に記載のレール案内式のセルフクライミング型枠システムを備えたコンクリート部分（４０，４２，４４）。
【請求項３】
前記クライミングレール延長部品（２０，２０’，２２）は、ロッキングピン（５０）によって前記クライミングレール（１８）の自由端部に連結されることを特徴とする請求項１又は２に記載のレール案内式のセルフクライミング型枠システムを備えたコンクリート部分（４０，４２，４４）。
【請求項４】
前記クライミングレール延長部品（２０，２０’，２２）の各々は、２つのロッキングピン（５０）によってクライミングレール（１８）の自由端部と連結され得ることを特徴とする請求項３に記載のレール案内式のセルフクライミング型枠システムを備えたコンクリート部分（４０，４２，４４）。
【請求項５】
前記クライミングレール（１８）並びに前記固定されたクライミングレール延長部品（２０，２０’，２２）が、支持ピン（３２）、及び、場合によってはスペーサ、連結ピン（５２）によって互いにある距離をおいてつなぎ合わされる２つのプロファイルレールから組み立てられることを特徴とする請求項１乃至４のいずれか１項に記載のレール案内式のセルフクライミング型枠システムを備えたコンクリート部分（４０，４２，４４）。
【請求項６】
前記足場ユニットは、作業プラットフォーム（１２）及び仕上げプラットフォーム（１６）を有することを特徴とする請求項１乃至５のいずれか１項に記載のレール案内式のセルフクライミング型枠システムを備えたコンクリート部分（４０，４２，４４）。
【請求項７】
前記作業プラットフォーム（１２）に、前記作業プラットフォーム（１２）上で動かすことのできる外部及び内部の型枠（１３，１３’）が設けられることを特徴とする請求項６に記載のレール案内式のセルフクライミング型枠システムを備えたコンクリート部分（４０，４２，４４）。
【請求項８】
反対側の他方の端部が前記クライミングレール（１８）の下側の端部と関節式に連結された前記固定されたクライミングレール延長部品（２２）の下側の自由端部に、仕上げプラットフォーム（１６）の構成要素が設けられることを特徴とする請求項１乃至７のいずれか１項に記載のレール案内式のセルフクライミング型枠システムを備えたコンクリート部分（４０，４２，４４）。
【国際調査報告】
2011515602.tif 000010
2011515602.tif 000011
2011515602.tif 000012
2011515602.tif 000013
2011515602.tif 000014
2011515602.tif 000015